(57)【要約】【課題】  携帯時における釣り人の負担軽減を図る。【解決手段】  ケース本体１の両側面１１，１２に両端部２ａ，２ｂがそれぞれ着脱自在に取り付けられて肩掛け可能に構成されたベルト２を備え、該ベルト２は、ケース本体１から両端部２ａ，２ｂを取り外してケース本体１の背面１３のベルト通し３０に挿通することにより腰に巻き付け可能となる。ベルト２はパッド４２を備え、該パッド４２は、ベルト２を肩に掛けた際には肩に当接し且つベルト２を腰に巻き付ける際にはケース本体１の背面１３に位置して腰に当接する。【選択図】  図３
2005124473.tif 000002
【特許請求の範囲】
【請求項１】
ケース本体の両側面に両端部がそれぞれ着脱自在に取り付けられて肩掛け可能に構成されたベルトを備え、該ベルトは、ケース本体から両端部を取り外してケース本体の背面のベルト通しに挿通することにより腰に巻き付け可能となる釣り用ケースにおいて、
前記ベルトはパッドを備え、該パッドは、ベルトを肩に掛けた際には肩に当接し且つベルトを腰に巻き付ける際にはケース本体の背面に位置するようにベルト本体に取り付けられていることを特徴とする釣り用ケース。
【請求項２】
前記ベルト通しはケース本体の背面に左右一対設けられ、パッドは、左右両ベルト通しの離間距離よりも長く形成されて、その両端部を左右両ベルト通しにそれぞれ挿通可能に構成されている請求項１記載の釣り用ケース。
【請求項３】
パッドには、左右両ベルト通しに対応して幅狭のくびれ部が左右一対設けられている請求項２記載の釣り用ケース。
【発明の詳細な説明】
【技術分野】
【０００１】
本発明は、釣り魚等の種々の被収容物を収容できるケース、特に釣り適した釣り用ケースに関する。
【背景技術】
【０００２】
従来、この種の釣り用ケースとしては、例えば、渓流用に適した保冷箱がある（下記非特許文献１参照）。この保冷箱は、肩掛け用のベルトを備えている。該肩掛け用のベルトは、その両端部が保冷箱本体の両側面にそれぞれバックル（留め具）を介して着脱自在に取り付けられている。そして、保冷箱本体の背面（肩掛け時において着用者の体を向く面）にはベルトを挿通するためのベルト通しが水平方向に互いに所定距離離間して左右一対設けられており、ベルトを保冷箱本体から取り外してベルト通しに挿通することにより、そのベルトを腰に巻き付けて、ベルトをいわゆるウエストベルトとして使用することもできるようになっている。即ち、この保冷箱にあっては、ベルトが、肩掛けベルトとしても、またウエストベルトとしても使用できる兼用タイプになっている。従って、釣り人は、ベルトを肩に掛けて保冷箱を携帯する以外に、ベルトを腰に回して保冷箱を腰ビクのように使用することもできる。
【非特許文献１】「２００３シマノフィッシングタックルカタログ」、株式会社シマノ、２００３年２月７日、ｐ．１８５
【発明の開示】
【発明が解決しようとする課題】
【０００３】
しかしながら、釣り人は釣竿と共にこの保冷箱を携帯する必要があるうえに、特に釣り魚を水と共に保冷箱に入れると保冷箱はかなりの重量物になり、そのため保冷箱を携帯する釣り人の負担を極力小さくすることが求められる。そのため上記保冷箱では状況に応じて二通りの使用状態を任意に選択できるようにしたものであるが、更なる負担軽減が求められる。
【０００４】
それゆえに本発明は、上記従来の問題に鑑みてなされ、携帯時における釣り人の負担軽減を図ることを課題とする。
【課題を解決するための手段】
【０００５】
本発明は、上記課題を解決すべくなされたものであり、本発明に係る釣り用ケースは、ケース本体の両側面に両端部がそれぞれ着脱自在に取り付けられて肩掛け可能に構成されたベルトを備え、該ベルトは、ケース本体から両端部を取り外してケース本体の背面のベルト通しに挿通することにより腰に巻き付け可能となる釣り用ケースにおいて、前記ベルトはパッドを備え、該パッドは、ベルトを肩に掛けた際には肩に当接し且つベルトを腰に巻き付ける際にはケース本体の背面に位置するようにベルト本体に取り付けられていることを特徴とする。
【０００６】
該構成の釣り用ケースにあっては、ベルトに取り付けられたパッドが、ベルトを肩に掛けた場合には肩に当接し且つ、ベルトを腰に巻き付けた場合には腰に当接するので、パッドのクッション性によって肩、腰への負担が軽減されることとなる。
【０００７】
特に、前記ベルト通しはケース本体の背面に左右一対設けられ、パッドは、左右両ベルト通しの離間距離よりも長く形成されて、その両端部を左右両ベルト通しにそれぞれ挿通可能に構成されていることが好ましい。ベルトをベルト通しに挿通する際に、パッドもベルト通しに挿通させることができるので、パッドが邪魔にならずに容易にケース本体の背面にパッドを位置させることができる。
【０００８】
更にパッドには、左右両ベルト通しに対応して幅狭のくびれ部が左右一対設けられていることが好ましい。ベルト通しにパッドを挿通した時にくびれ部において左右のベルト通しでパッドが係止されるのでパッドの位置ずれが防止されて、ケース本体が安定するうえにパッドの位置ずれによる不快感も軽減される。
【発明の効果】
【０００９】
以上のように本発明の釣り用ケースにあっては、パッドが肩パッドとして使用できる他にベルトを腰に巻き付けた場合でも腰に当接するので携帯時における負担を軽減することができる。
【発明を実施するための最良の形態】
【００１０】
以下、本発明に係る釣り用ケースの一実施形態について図面を参酌しつつ説明する。
本実施形態における釣り用ケースは、渓流用に適した保冷箱であり、図１に背面側から見た斜視図を示している。
【００１１】
該保冷箱は、上面に開口を有しその開口を閉塞する蓋体３を備えた全体として直方体形状の保冷箱本体１と、該保冷箱本体１の左右両側面１１，１２にその両端部２ａ，２ｂがそれぞれバックル４を介して着脱自在に取り付けられたベルト２とから構成される。保冷箱本体１は、ポリエチレン等の合成樹脂から成形等により形成された有底上面開口の内缶（図示省略）と、該内缶の外側を覆う発泡ポリスチレン等の硬質の発泡材（図示省略）と、該発泡材の外側を覆う外装材とを備えている。発泡材は、内缶と同様に有底上面開口に形成され、外装材は発泡ポリエチレンフォーム等からなる軟質の発泡材（図示省略）を内蔵している。
【００１２】
そして、保冷箱本体１の蓋体３は、前記外装材にヒンジ連結されて開閉自在であって、その閉状態はスライドファスナー２０によって維持される構成である。尚、蓋体３の略中央には開閉扉２２を有する魚投入口２１が設けられ、開閉扉２２は図示しないバネによって閉じ側に付勢されて下方に押圧することによって回動して開く。
【００１３】
また、保冷箱本体１の正面には、スライドファスナー付き開口を有するポケット（図示省略）が設けられ、保冷箱本体１の背面１３には、互いに所定間隔離間した左右一対のベルト通し３０が設けられている。該左右のベルト通し３０は、左右方向（水平方向）にその軸線を有し、略同一高さ位置に設けられ、保冷箱本体１の背面１３のうち上側半分の領域に設けられている。尚、ベルト通し３０は、帯状片を環状としたものであって、帯状片としては例えば各種の織テープを使用でき、ポリプロピレンやポリエステル、アクリル、ナイロン等の織テープ、特にポリプロピレン織テープが好ましい。尚、ベルト通し３０は外装材（保冷箱本体１）に縫着されている。
【００１４】
前記ベルト２は、各種の織テープ等の帯状片からなるベルト本体４０を有し、該ベルト本体４０の中途部には長さ調節のためのアジャスター４１が設けられている。尚、該ベルト２を保冷箱本体１に着脱自在に取り付けるためのバックル４は、図３に示す如く、雄部材４ａと雌部材４ｂとからなり、また、雄部材４ａは長さ調節機構を有している。雄部材４ａは雌部材４ｂに弾性変形により係脱する差込部４ｃが設けられ、雌部材４ｂは差込部４ｃが挿入されるように枠状に形成されている。このようなバックル４の構成については公知のものである。バックル４の雄部材４ａと雌部材４ｂのうちの一方が保冷箱本体１に他方がベルト本体４０の端部に取り付けられている。尚、本実施形態では、ベルト２を腰に巻き付けた際に、ベルト２の両端部２ａ，２ｂ同士を分離連結自在とするために、ベルト２の両端部２ａ，２ｂには互いに同じバックル４が取り付けられ、その一端部２ａには雄部材４ａが他端部２ｂには雌部材４ｂが取り付けられている。従って、ベルト２を腰に巻き付けた際には、そのバックル４によってベルト２の両端部２ａ，２ｂを連結、分離することができる。
【００１５】
そして、ベルト２は図２に示すようにパッド４２を備えている。該パッド４２はいわゆる肩パッドであって、クッション性を有すると共に変形自在である。そして、パッド４２は、全体として横長に形成されて、その表側にはベルト本体４０をパッド４２の長手方向に沿って挿通することによりパッド４２をベルト本体４０にスライド自在に取り付けるための挿通部４３が設けられている。また、パッド４２は、全体としてベルト本体４０よりも幅広であるが、パッド４２の中央に位置する幅広部４４と、該幅広部４４の両側に各々設けられたくびれ部４５と、該くびれ部４５の外側に設けられた先端部４６（ベルト２の両端部）とからなる。幅広部４４は幅略一定であり、くびれ部４５は幅方向中央に向けて両側が共に凹状に切りかかれて幅狭に形成されている。また、先端部４６は先細り形状であって、詳細には弧状であるがテーパ状であってもよい。尚、パッド４２の周囲は縁取り片４７により縁取りされている。
【００１６】
更に、前記ベルト通し３０は、バックル４を含めてベルト本体４０が挿通可能であるが、ベルト本体４０よりも幅広のパッド４２は通常状態ではベルト通し３０を挿通不能である。しかしながら、パッド４２の先端部４６を幅方向に押圧して圧縮若しくは二つ折り等に変形させることによりパッド４２の先端部４６をベルト通し３０に挿通させることができる。そして、くびれ部４５の幅は、ベルト通し３０を偏平にした時の該ベルト通し３０の内側上下寸法と略等しいため、パッド４２のくびれ部４５とベルト通し３０とが係合することとなる。パッド４２の全長は左右一対のベルト通し３０の離間距離よりも長く、従って、パッド４２は左右一対のベルト通し３０によって保持される（図３）。尚、パッド４２の全長は保冷箱本体１の左右方向の長さと略等しい。また、ベルト通し３０にベルト本体４０を挿通させる場合には、ベルト本体４０の両端部を左右のベルト通し３０にそれぞれ内側から外側に向けて挿通させる。このようにパッド４２の両端部を左右一対のベルト通し３０に挿通させることにより、パッド４２を保冷箱本体１の背面１３に、パッド４２の長手方向が略水平方向となるようにして、位置させることができ、しかも、くびれ部４５でパッド４２がベルト通し３０に係止されるために位置ずれが防止される。
【００１７】
以上のように、ベルト２にパッド４２が設けられて肩掛け時においてパッド４２が肩に当接するので肩への負担が軽減される。そして、ベルト２をベルト通し３０に挿通して腰に巻き付けて腰ビクのように携帯する場合には、クッション性のあるパッド４２が保冷箱本体１の背面１３に位置して釣り人の腰に当たるので腰への負担も軽減される。しかも、パッド４２がベルト通し３０によって係止されているために長時間歩く等してもパッド４２がずれにくく、パッド４２の位置ずれによる不快感も発生しにくい。また、パッド４２をベルト通し３０に挿通させているのでベルト通し３０とベルト本体４０との間に生じるガタツキがなくなり、保冷箱本体１が安定するのでそれによっても負担が軽減される。更には、左右一対のベルト通し３０がベルト本体４０よりも剛性の大きいパッド４２によって連結されることとなるので、パッド４２がない場合に比してベルト本体４０と左右一対のベルト通し３０との連結状態が安定し、それによっても保冷箱本体１の安定性が高められる。また、パッド４２の両端部がベルト通し３０よりも外方に突出するので、ベルト２を腰に巻き付けた際に、この突出したパッド４２の両端部がベルト本体４０の内側に位置してベルト本体４０と共に湾曲し腰に密着するので、ベルト本体４０のみの場合に比してベルト２と腰との密着性が高まり、ひいては保冷箱本体１の安定性が高まる。携帯時において保冷箱本体１の安定性が高くなると負担が軽減されるため、このような保冷箱本体１の安定性を高めるための各部構成によっても釣り人の負担が大きく軽減されるのである。
【００１８】
尚、本実施形態ではパッド４２の両端部をベルト通し３０に挿通することによってベルト通し３０でパッド４２が保持される構成について説明したが、パッド４２をベルト通し３０に挿通させない構成であってもよい。また、パッド４２をベルト本体４０に対して着脱可能とし、パッド４２を一旦ベルト本体４０から取り外したうえで保冷箱本体１の背面１３に位置させてもよい。また、パッド４２をベルト本体４０ではなく保冷箱本体１に直接取り付けることによって保冷箱本体１の背面１３に位置させる構成としてもよい。更に、くびれ部４５は片側のみが凹状に切りかかれていてもよく、またその形状等についても適宜設計変更可能であり、それによってパッド４２がベルト通し３０に係止されるものであればよい。また更に、パッド４２の形状やサイズ、幅等についても変更可能であって、例えば、ベルト本体４０と同幅であってもよい。また、保冷箱を例に説明したが本発明は種々の釣り用ケースに適用可能である。
【図面の簡単な説明】
【００１９】
【図１】本発明の一実施形態に係る釣り用ケースを背面から見た斜視図。
【図２】同ケースに使用されているベルトの要部正面図。
【図３】同ケースを腰に携帯する場合の状態を示す斜視図。
【符号の説明】
【００２０】
１…保冷箱本体（ケース本体）、２…ベルト、４…バックル、１１，１２…側面、１３…背面、３０…ベルト通し、４０…ベルト本体、４２…パッド、４５…くびれ部
【図１】
2005124473.tif 000003
【図２】
2005124473.tif 000004
【図３】
2005124473.tif 000005